(57)【要約】【課題】  ポンプを使用して高所から低所に液体を送る送液装置において，サイホン現象の発生を防止するための従来の機構は可動弁体を設けた構成であるので，動作させるために比較的大きな負圧が必要であったり，可動弁体の動作不良が生じ易い等の課題がある。【解決手段】  そこで本発明では、送液元容器１内の液体３をポンプ４により吸上げて供給配管６を通して送液先容器２まで送液する送液装置において，供給配管には，送液元容器よりも高い位置に大気開放部８を配置し，この大気開放部は，送液元側供給配管と送液先側供給配管に連なる送液経路に，空気取入配管１２に連なる大気開放経路を，上側から合流させた構成としたサイホン現象防止機構を提案している。【選択図】    図２
2006297323.tif 000002
【特許請求の範囲】
【請求項１】
送液元容器内の液体をポンプにより吸上げて供給配管を通して送液先容器まで送液する送液装置において，供給配管には，送液元容器よりも高い位置に大気開放部を配置し，この大気開放部は，送液元側供給配管と送液先側供給配管に連なる送液経路に，空気取入配管に連なる大気開放経路を，上側から合流させた構成としたことを特徴とする送液装置におけるサイホン現象防止機構。
【請求項２】
大気開放経路の合流位置よりも上流側の送液経路を，下流側よりも細く形成したことを特徴とする請求項１に記載の送液装置におけるサイホン現象防止機構
【請求項３】
大気開放経路の軸方向と，その合流位置よりも上流側の送液経路の軸方向が成す角度を鋭角に構成したことを特徴とする請求項１に記載の送液装置におけるサイホン現象防止機構
【請求項４】
大気開放経路の合流位置よりも上流側の送液経路を，下流側よりも細く形成すると共に，大気開放経路の軸方向と，その合流位置よりも上流側の送液経路の軸方向が成す角度を鋭角に構成したことを特徴とする請求項１に記載の送液装置におけるサイホン現象防止機構
【請求項５】
空気取入配管の開口端部は，送液元容器の液面よりも高い位置のドレン受けに配置したことを特徴とする請求項１に記載の送液装置におけるサイホン現象防止機構
【請求項６】
大気開放部は，器体の内側に送液経路と大気開放経路とを設けると共に，外側に送液経路と大気開放経路に対応する管接続ポートを設けたジョイントとして構成したことを特徴とする請求項１〜５までのいずれか１項に記載の送液装置におけるサイホン現象防止機構
【請求項７】
送液装置は，複数の送液元容器と，夫々に設けた供給配管及びポンプと，混合部とを備えた構成であることを特徴とする請求項１〜６までのいずれか１項に記載の送液装置におけるサイホン現象防止機構
【発明の詳細な説明】
【技術分野】
【０００１】
本発明は、分析システム等に構成する送液装置，特に高所から低所に液体を送る送液装置におけるサイホン現象防止機構に関するものである。
【背景技術】
【０００２】
例えば液体クロマトグラフ装置では，液体容器内の溶媒を，供給配管を通して分離カラムを経て処理槽に送液する送液装置を設けており，この送液装置には，吸引口と吐出口間の送液経路にシリンダからの経路を合流させ，シリンダ内に吸引・吐出用プランジャを設置すると共に，吸引口と吐出口には夫々チェック弁を設けた構成とした精密送液ポンプを用いている。
【０００３】
このような送液装置では，精密送液ポンプにより液体容器内の溶媒を吸引し，供給配管を通して，液体容器よりも下方に設置した処理槽へ送液するため，サイホン現象が起こり，ポンプを停止した後も，溶媒が液体容器から処理槽に自然流出してしまう。
【０００４】
このようなサイホン現象による液体の自然流出を防止するための従来技術として，例えば特許文献１では，供給配管にサイホン防止弁に連なる側路配管を接続することによりポンプの停止時に供給配管を大気開放する技術が提案されている。そこで，この特許文献１に記載される従来技術を図８を参照して次に説明する。
【０００５】
符号ａは送液元容器，ｂは送液先容器であり，送液先容器ｂは送液元容器ａよりも低所に設置されている。ｃは送液ポンプ，ｄは供給配管を示すものであり，供給配管ｄは，送液ポンプｃの上流側の吸上げ側配管ｅと，下流側の供給側配管ｆとから成り，送液元容器ａの液面よりも高い位置において供給側配管ｆにサイホン防止弁ｇに至る側路配管ｈが接続されている。このサイホン防止弁ｇは，２室ｉ，ｊを有する筒体形状であり，２室ｉ，ｊの隔壁ｋを連通孔ｍを有する弁座に構成すると共に，室ｉ側に可動弁体ｎを配置し，室ｊには大気への開口ｏを設けると共に室ｉの側路配管ｈ側に，可動弁体ｎによって側路配管ｈが塞がれなくするための突起ｐが設けられた構成である。
【０００６】
以上の構成において，ポンプｃが停止状態から運転を開始すると，ポンプｃから供給側配管ｆを経て側路配管ｈに供給された液体がサイホン防止弁ｇの室ｉ内に流入して，内部の空気の流れにより可動弁体ｎを図中実線の状態から破線の状態へと動かして弁座としての隔壁ｋに当接して連通孔ｍを塞ぐため，側路配管ｈを通しての液体の流出を防止することができる。
【０００７】
一方，ポンプｃの運転を停止すると，供給側配管ｆ内の液体が慣性と重力により送液先容器ｂへと流れ続けるため，側路配管ｈが負圧となり，可動弁体ｎが隔壁ｋから離れて連通孔ｍ，開口ｏを介して大気に開放されることによりサイホン現象の発生を防止することができる，というものである。
【特許文献１】特開平１０−１１３６８２号公報
【発明の開示】
【発明が解決しようとする課題】
【０００８】
しかしながら上記の従来技術では次に示すような課題がある。
１．側路配管ｈから室ｉ内に流入した液体が乾燥して，可動弁体ｎが弁座としての隔壁ｋに張り付いてしまった場合には大気開放が行えず，サイホン現象の発生を防止できなくなってしまう。
２．側路配管ｈから室ｉ内に流入してしまった液体を排出する手段が必要となる。
３．液体クロマトグラフ装置等の精密送液ポンプを使用するシステムにおいては，一般に配管の内径が細いため，ポンプ停止時にサイホン防止弁ｇの可動弁体ｎを動かすだけの負圧に至らない場合があり，このような場合にも大気開放が行えず，サイホン現象の発生を防止できなくなってしまう。
４．このため精密送液ポンプを使用するシステムにおいては，ポンプを停止後に，例えば吸上げ側の配管を送液元容器の液面から引き上げたり，供給側配管を接続する配管継手等を緩める等の，人手により大気に開放する作業を行っており，人為的なミスによってサイホン現象を発生させてしまう場合があった。
本発明は以上の課題を解決することを目的とするものである。
【課題を解決するための手段】
【０００９】
以上の課題を解決するために，本発明では、送液元容器内の液体をポンプにより吸上げて供給配管を通して送液先容器まで送液する送液装置において，供給配管には，送液元容器よりも高い位置に大気開放部を配置し，この大気開放部は，送液元側供給配管と送液先側供給配管に連なる送液経路に，空気取入配管に連なる大気開放経路を，上側から合流させた構成とした送液装置におけるサイホン現象防止機構を提案する。
【００１０】
そして本発明では、上記の構成において，大気開放経路の合流位置よりも上流側の送液経路を，下流側よりも細く形成することを提案する。
【００１１】
また本発明では、上記の構成において，大気開放経路の軸方向と，その合流位置よりも上流側の送液経路の軸方向が成す角度を鋭角に構成することを提案する。
【００１２】
また本発明では、上記の構成において，大気開放経路の合流位置よりも上流側の送液経路を，下流側よりも細く形成すると共に，大気開放経路の軸方向と，その合流位置よりも上流側の送液経路の軸方向が成す角度を鋭角に構成することを提案する。
【００１３】
また本発明では、上記の構成において，空気取入配管の開口端部は，送液元容器の液面よりも高い位置のドレン受けに配置することを提案する。
【００１４】
また本発明では、以上の構成において，大気開放部は，器体の内側に送液経路と大気開放経路とを設けると共に，外側に送液経路と大気開放経路に対応する管接続ポートを設けたジョイントとして構成することを提案する。
【００１５】
また本発明では、以上の構成において，送液装置は，複数の送液元容器と，夫々に設けた供給配管及びポンプと，混合部とを備えた構成とすることを提案する。
【発明の効果】
【００１６】
以上の構成において，ポンプが運転中は，ポンプにより送液元容器内から吸上げられた液体は大気開放部に至り，その送液経路を通った後，送液先側供給配管を経て送液先容器に供給される。大気開放部の送液経路には大気開放経路が合流しているが，その大気開放経路は，上側から送液経路に合流させる構成であるので，送液経路を流れる液体は大気開放経路に流入しない。
【００１７】
この状態でポンプを停止すると，慣性と重力によって送液先側供給配管を流下する液体により送液経路が負圧になるため，空気取入配管から大気開放経路を経て送液経路に空気が流入し，この流入した空気によりサイホン現象の発生が防止される。
【００１８】
ポンプを始動して送液を開始した直後は大気開放部の送液経路に液体の圧力が加わるため，液体の一部が送液経路から大気開放経路に流入しやすくなるが，この流入は，空気取入配管の最高部の高さを高くしたり，大気開放経路の断面積を小さくすることで抑制することができるが，この他，大気開放経路の合流位置よりも上流側の送液経路を，下流側よりも細く形成すること，大気開放経路の軸方向と，その合流位置よりも上流側の送液経路の軸方向が成す角度を鋭角に構成すること，または大気開放経路の合流位置よりも上流側の送液経路を，下流側よりも細く形成すると共に，大気開放経路の軸方向と，その合流位置よりも上流側の送液経路の軸方向が成す角度を鋭角に構成すること等によって，大気開放経路への流入を抑制することができる。
【００１９】
また，送液する液体の種類や運転形態等によって，液体の一部が送液経路から大気開放経路に流入し，空気取入配管から流出する場合がある条件においては，空気取入配管の開口端部は，送液元容器の液面よりも高い位置のドレン受けに配置することにより，連続的な流出を防ぐことができると共に，ポンプを停止した場合の上述したサイホン現象の発生防止効果を阻害しない。
【発明を実施するための最良の形態】
【００２０】
大気開放部は，器体の内側に送液経路と大気開放経路とを設けると共に，外側に送液経路と大気開放経路に対応する管接続ポートを設けたジョイントとして構成することにより，設置を容易に行うことができる。
【実施例１】
【００２１】
次に本発明の実施例を添付図面を参照して説明する。
図１は本発明のサイホン現象防止機構を使用した送液装置の構成を概念的に示す系統図であり，図２は大気開放部の具体的構成の実施例を示す断面図，また図３は本発明に使用するポンプの一例を示す断面図である。
符号１は送液元容器であり，また２は送液元容器１よりも低所に設置された送液先容器である。送液元容器１内の液体３は，ポンプ４により吸上げ配管５を通して吸上げられ，供給配管６を通して送液先容器２に供給される構成である。図中，二点鎖線で囲んだ部分は液体が通過する経路を有した適宜の装置７を示しており，例えばこの装置７は，図７について後述するように液体クロマトグラフ装置の分析装置等である。
【００２２】
本発明では、供給配管６には，送液元容器１よりも高い位置に大気開放部８を配置している。そこで，供給配管６は，大気開放部８よりも上流側を送液元側供給配管９，下流側を送液先側供給配管１０と云う。
【００２３】
大気開放部８は，図２に示すように，送液元側供給配管９と送液先側供給配管１０に連なる送液経路１１に，空気取入配管１２に連なる大気開放経路１３を上側から合流させた構成としており，この実施例では大気開放部８は管のジョイントとして構成しており，符号１４ａ，１４ｂ，１４ｃは夫々送液元側供給配管９，送液先側供給配管１０，空気取入配管１２を支持している取付部材であり，これらの取付部材１４ａ，１４ｂ，１４ｃは大気開放部８の器体に，夫々の経路に対応して形成された管接続ポート１５ａ，１５ｂ，１５ｃにねじ機構により固定する構成としている。
【００２４】
そして，図１に示すように大気開放経路１３に接続した空気取入配管１２は適宜に設定した最高部を経て，その開口端部１６を，送液元容器１の液面よりも高い位置に配置したドレン受け１７に配置している。そしてドレン受け１７によって受けた空気取入配管１２の開口端部１６からの液体は，ドレン管１８により送液先容器２内に排出する構成としている。
【００２５】
次に図３は本発明のサイホン現象防止機構を使用した送液装置におけるポンプの一例を示すものである。
符号１９はポンプ本体であり，このポンプ本体１９には，吸引側から吐出側に至る送液経路２０に，シリンダ２１に連なる駆動用経路２２が合流しており，シリンダ２１内には，駆動機構部２３によりシリンダ２１に対して進退運動を行わせるプランジャ２４が設置されている。一方，送液経路２０の吸引側と吐出側の双方には，球体２５と弁座２６から成る吸引側チェック弁２７と吐出側チェック弁２８が，夫々吸上げ配管５と供給配管６との間に設けられている。
【００２６】
以上の構成において，駆動機構部２３によりプランジャ２４を図中左側に移動すると，シリンダ２１内の液体が圧縮されるため，圧縮された液体は駆動用経路２２を通して送液経路２０に流入し，吐出側チェック弁２８の球体２５を弁座２６から押し上げ，開状態として供給配管６内に流入する。一方，液体の圧力は，吸引側チェック弁２７の球体２５を弁座２６に押しつける方向に作用するため，液体が吸引側チェック弁２７を経て流出することはない。
【００２７】
次に，駆動機構部２３によりプランジャ２４を図中右側に移動すると，シリンダ２１内が負圧となるため，送液経路２０内の液体は，駆動用経路２２を通してシリンダ２１に流入すると同時に，開状態となった吸引側チェック弁２７を経て吸上げ配管５内の液体が送液経路２０内に流入する。一方，吐出側チェック弁２８は閉状態であるので，供給配管６内の液体が吐出側チェック弁２８を経て送液経路２０内に流入することはない。
【００２８】
このように駆動機構部２３によりプランジャ２４をシリンダ２１内において進退することにより，進退の１サイクル毎に所定量の液体を精密に送液することができる。しかしながら，このポンプ４では，サイホン現象等で供給配管６内が負圧となると，吐出側チェック弁２８の球体２５が吸引されて弁座２６から浮上し，吐出側チェック弁２８が開状態となると共に，吸引側チェック弁２７も開状態となって，吸上げ配管５側の液体がポンプを通して供給配管６側に流出してしまう。
【００２９】
次に本発明の動作を説明すると，まず，ポンプ４が運転中は，ポンプ４により送液元容器１内から吸上げられた液体３は送液元側供給配管９を通って大気開放部８に至り，その送液経路１１を通った後，送液先側供給配管１０を経て送液先容器２に供給される。この際，大気開放部８の送液経路１１には大気開放経路１３が合流しているが，その大気開放経路１３は，上側から送液経路１１に合流させる構成であるので，送液経路１１を流れる液体は大気開放経路１３に流入しない。
【００３０】
この状態でポンプ４を停止すると，慣性と重力によって送液先側供給配管１０を流下する液体により送液経路１１が負圧になるため，空気取入配管１２から大気開放経路１３を経て送液経路１１に空気が流入し，この流入した空気によりサイホン現象の発生が防止される。
【００３１】
ポンプ４を始動して送液を開始した直後は大気開放部８の送液経路１１に液体の圧力が加わるため，液体の一部が送液経路１１から大気開放経路１３に流入しやすくなるが，この流入は，後述する他の実施例に示す構成の他，空気取入配管１２の最高部の高さを高くしたり，大気開放経路１３の断面積を小さくすることで抑制することができる。この場合，大気開放経路１３の断面積が小さくなると，大気解放時における空気の抵抗が大きくなるので，この断面積はこれらのトレードオフで設定すれば良い。
【実施例２】
【００３２】
次に図４は大気開放部８の第２の実施例を示すものであり，図３の実施例と同様な構成要素には同一の符号を付して重複する説明は省略する。即ち，この実施例では，大気開放部８は，大気開放経路１３の合流位置よりも上流側の送液経路を，下流側よりも細く形成しており，図においては細い送液経路に符号２９を付している。
【００３３】
この実施例では，ポンプ４の始動時等において，送液元供給配管９に加わる液体の圧力が大きくても，細く形成した送液経路の部分２９から，それよりも太い送液経路１１に流出する際に減圧されるので，大気開放経路１３側に流入することを抑制することができる。
【実施例３】
【００３４】
次に図５は大気開放部８の第３の実施例を示すものであり，図３の実施例と同様な構成要素には同一の符号を付して重複する説明は省略する。即ち，この実施例では，大気開放経路１３の軸方向と，その合流位置よりも上流側の送液経路１１の軸方向が成す角度θを鋭角に構成している。
【００３５】
この実施例では，大気開放経路１３の軸方向が，液体の運動方向に対して鈍角となるので，液体の慣性により，大気開放経路１３への流入を抑制することができる。
【実施例４】
【００３６】
次に図６は大気開放部８の第４の実施例を示すものであり，図３の実施例と同様な構成要素には同一の符号を付して重複する説明は省略する。即ち，この実施例では，大気開放経路１３の合流位置よりも上流側の送液経路１１の部分２９を，下流側よりも細く形成すると共に，大気開放経路１３の軸方向と，送液経路１１の部分２９の軸方向が成す角度θを鋭角に構成している。
【００３７】
この実施例では，細く形成した送液経路の部分２９から，それよりも太い送液経路１１に流出する際に減圧されることと，大気開放経路１３の軸方向が，液体の運動方向に対して鈍角となるので，液体の慣性との相乗作用により，大気開放経路１３への流入を更に抑制することができる。
【実施例５】
【００３８】
次に，図７は本発明のサイホン現象防止機構を使用した分析システムの一例として，液体クロマトグラフ装置の構成例を示す系統図である。この図７において，図１のものと同様な構成要素には同一の符号を付して重複する説明は省略する。
図において二点鎖線で囲んで符号７を付した部分は，上述したように分析装置であり，この分析装置７は，分離カラム３０と，ＵＶモニタ３１と，電磁弁３２と，電磁弁３２に接続されたノズル３３と，分取用の試験管３４とから構成されている。
【００３９】
一方，送液元容器は複数種類，この場合，２種類の液体３Ａ，３Ｂの夫々を入れる容器１Ａ，１Ｂであり，これらの送液元容器１Ａ，１Ｂの夫々に対応して吸上げ配管５Ａ，５Ｂとポンプ４Ａ，４Ｂを構成している。これらのポンプ４Ａ，４Ｂは図３に示すような液体の供給を精密に行うことが可能な構成であり，これらのポンプ４Ａ，４Ｂの吐出側の供給配管６Ａ，６Ｂはミキシング部３５に接続されている。
【００４０】
以上の構成においては，送液元容器１Ａ，１Ｂ内の液体３Ａ，３Ｂをポンプ４Ａ，４Ｂにより，夫々設定された流量で吸上げ配管５Ａ，５Ｂ，供給配管６Ａ，６Ｂを通して吸い上げ，ミキシング部３５で混合する。混合された液体は供給配管６により分離カラム３０に供給されて満たされる。分離カラム３０内に設定された混合比率で液体が満たされた後，ポンプ４Ａ，４Ｂの運転を一時停止し，分離カラム３０内にサンプルを入れる。次いで所定時間経過後，ポンプ４Ａ，４Ｂを運転すると，液体はＵＶモニタ３１，電磁弁３２を経て装置７から出て，送液元側供給配管９，大気開放部８，送液先側供給配管１０を経て送液先容器２，この場合，処理液槽へと流れる。
【００４１】
この際，分離カラム３０で分離されたサンプルがＵＶモニタ３１において検出された場合には，電磁弁３２を動作させて経路をノズル３３側に切換えることにより試験管３４に分取する。サンプルを精度良く分離させるためには，液体の混合比率が非常に重要となる。
【００４２】
以上の構成において，本発明による大気開放部８を設けていない場合には，ポンプ４Ａ，４Ｂを停止した後にサイホン現象により液体が自然流出することを防止するために，ポンプ４Ａ，４Ｂを停止した直後に吸上げ配管５Ａ，５Ｂを引き上げたり，又は分離カラム３０の配管継手３６を緩める等で大気開放を行っているが，人為的な操作であるため，操作ミスが発生する場合があり，この場合には，送液元容器１Ａ，１Ｂ内の未使用の液体が全て送液先容器２に流出してしまったり，重要な混合比率が狂ってしまうというような問題点があった。
【００４３】
これに対して，本発明による大気開放部８を設けることにより，ポンプ４Ａ，４Ｂを停止した後のサイホン現象の発生を自動的に確実に防止することができ，このことから，送液元容器１Ａ，１Ｂ内の未使用の液体が全て送液先容器２に流出してしまったり，重要な混合比率が狂ってしまうというような不都合の発生を確実に防止することができた。
【００４４】
尚，後者の混合比率の狂いが生じる原因は以下のとおりである。
例えば送液元容器１Ａにメタノール｛比重：0.7915（20/4℃）｝，送液元容器１Ｂにクロロホルム｛比重：1.484（20/20℃）｝を入れて，上述したようにポンプ４Ａ，４Ｂを運転して分離カラム３０に所定の混合比率で満たした後，内部にサンプルを入れるためにポンプ４Ａ，４Ｂを停止した際，サイホン現象が生じると，クロロホルムよりも比重の小さなメタノールのみがミキシング部３５を介して吸引されるため，分離カラム３０内にはメタノールのみが流入して，次第にクロロホルムの割合が減少し，混合比率が狂ってしまう。この状態で，ポンプ４Ａ，４Ｂを再始動して分取を開始しても，溶媒の混合比率が狂っているため，サンプルが分離せずに試験管３４に分取されてしまう。
【００４５】
これに対して，本発明によるサイホン現象防止機構を使用すれば，分離カラム３０にサンプルを入れる際にポンプ４Ａ，４Ｂを停止してもサイホン現象が生じないので，分離カラム３０内の溶媒の混合比率が狂わず，ポンプ４Ａ，４Ｂを再始動することにより効率的にサンプルを分取することができる。
【産業上の利用可能性】
【００４６】
本発明は以上のとおりであるので、以下に示すような特徴を有し，産業上の利用可能性が大である。
１．大気開放部は，可動弁体を使用していないので，ポンプを停止した際に発生する負圧が小さくても動作し，また可動弁体に付着した液体が乾燥して動作不良を起こすということも無くなり，確実に大気開放を行ってサイホン現象の発生を防止することができる。
２．大気開放を自動的に確実に行えるため，人為的操作は不要となり，その手間をなくすと共に，ミスによる不都合の発生を防止することができる。
３．大気開放部は，管接続ポートを設けたジョイントとして構成することにより，設置を容易に行うことができる。
４．大気開放部の大気開放経路から空気取入配管内に液体が流入しても，その開口端部からドレン受けに排出して処理することができる。
【図面の簡単な説明】
【００４７】
【図１】本発明のサイホン現象防止機構を使用した送液装置の構成を概念的に示す系統図である。
【図２】大気開放部の具体的構成の実施例を示す断面図である。
【図３】本発明に使用するポンプの一例を示す断面図である。
【図４】大気開放部の具体的構成の第２の実施例を示す断面図である。
【図５】大気開放部の具体的構成の第３の実施例を示す断面図である。
【図６】大気開放部の具体的構成の第４の実施例を示す断面図である。
【図７】本発明のサイホン現象防止機構を使用した分析システムの一例として，液体クロマトグラフ装置の構成例を示す系統図である。
【図８】従来のサイホン現象防止機構の一例を示す説明図である。
【符号の説明】
【００４８】
１（１Ａ，１Ｂ）              送液元容器
２                            送液先容器（処理液槽）
３（３Ａ，３Ｂ）              液体（溶媒）
４（４Ａ，４Ｂ）              ポンプ
５（５Ａ，５Ｂ）              吸上げ配管
６（６Ａ，６Ｂ）              供給配管
７                            装置（分析装置）
８                            大気開放部
９                            送液元側供給配管
１０                          送液先側供給配管
１１                          送液経路
１２                          空気取入配管
１３                          大気開放経路
１４ａ，１４ｂ，１４ｃ        取付部材
１５ａ，１５ｂ，１５ｃ        管接続ポート
１６                          開口端部
１７                          ドレン受け
１８                          ドレン管
１９                          ポンプ本体
２０                          送液経路
２１                          シリンダ
２２                          駆動用経路
２３                          駆動機構部
２４                          プランジャ
２５                          球体
２６                          弁座
２７                          吸引側チェック弁
２８                          吐出側チェック弁
２９                          細い送液経路の部分
３０                          分離カラム
３１                          ＵＶモニタ
３２                          電磁弁
３３                          ノズル
３４                          試験管
３５                          ミキシング部
３６                          配管継手
【図１】
2006297323.tif 000003
【図２】
2006297323.tif 000004
【図３】
2006297323.tif 000005
【図４】
2006297323.tif 000006
【図５】
2006297323.tif 000007
【図６】
2006297323.tif 000008
【図７】
2006297323.tif 000009
【図８】
2006297323.tif 000010